(57)【要約】【課題】 特に公共施設への設置に適した、オストメイトの排泄処理時間の短縮を実現するオストメイト用汚物流しユニットを提供することにある【解決手段】 オストメイト用汚物流しユニット１が、前面に汚物流し部１１０が備わったパネルプレート１００と、パネルプレート前面の汚物流し部の上方であって当該パネルプレート前面よりも奥まった位置に取り付けられたパウチ洗浄用水栓１２０と、パネルプレートの前面がほぼ鉛直方向に沿って延在するように支えるとともに当該パネルプレートをほぼ鉛直方向に移動可能に支持するガイド支持部２４０及び当該ガイド支持部によって支持されたパネルプレートを所定の昇降上限位置と昇降下限位置との間で昇降させる昇降駆動部２４５を有する装置本体２００と、電気温水器２７０と、を備えている。【選択図】 図２
2007111521.tif 000002
【特許請求の範囲】
【請求項１】
前面に汚物流し部が備わったパネルプレートと、
前記パネルプレートの前面がほぼ鉛直方向に沿って延在するように当該パネルプレートを支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
前記装置本体内に設置された電気温水器と、
前記パネルプレート前面の汚物流し部上方であって当該パネルプレート前面よりも奥まった位置に取り付けられたパウチ洗浄用水栓と、
を備えたことを特徴とするオストメイト用汚物流しユニット。
【請求項２】
前面に汚物流し部が備わったパネルプレートと、
前記パネルプレートの前面がほぼ鉛直方向に沿って延在するように当該パネルプレートを支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
前記装置本体内に設置された電気温水器と、
前記パネルプレート前面の汚物流し部上方に取り付けられたパウチ洗浄用水栓であって前記電気温水器から供給される温水と水道水とを混合する湯水混合部が前記パネルプレート背面に隠蔽されたパウチ洗浄用水栓と、
を備えたことを特徴とするオストメイト用汚物流しユニット。
【請求項３】
前記パウチ洗浄用水栓は、引き出し可能な吐水部と温度調整および流量調整を行う温調流調部とを有し、当該吐水部と当該温調流調部は前記汚物流し部の中央に対して左右に分割して配置されていることを特徴とする請求項２に記載のオストメイト用汚物流しユニット。
【請求項４】
昇降上限位置にある前記パネルプレートの上端部よりも前記装置本体の上面が上方に位置し、かつ所定の広さを有する荷物載置用平坦部が当該装置本体の上面に形成されていることを特徴とする請求項１乃至請求項３の何れかに記載のオストメイト用汚物流しユニット。
【発明の詳細な説明】
【技術分野】
【０００１】
本発明は、人口肛門や人工膀胱などのストーマを付けたオストメイトと呼ばれる人々がストーマから排泄される排泄物を流したり、ストーマに装着したパウチを洗浄したりするのに好適に用いられるオストメイト用汚物流しユニットに関する。
【背景技術】
【０００２】
ストーマを付けたオストメイトと呼ばれる人々がストーマから排泄される排泄物（以下「汚物」とする）を流したり、ストーマに付けたパウチを外して洗浄したりするのに用いられるオストメイト用汚物流しユニットは従来から知られている（例えば、特許文献１参照）。
かかる特許文献１に記載のストーマ便の処理装置は、オストメイトが身に付けたパウチを洗浄するための洗浄器であってオストメイトの身長差に応じてシンクを昇降させ、汚物を処理するようになっている。
より具体的にはこのストーマ便の処理装置は、水平方向に延在した洗面器状のシンクと、そのシンクの底部に接続された排出ホースと、シンクの上面開口部周縁近傍に備わった洗浄用水栓とを有し、シンク自体が水平状態を維持しながら洗浄用水栓とともに支柱に沿って昇降可能となっている。
【特許文献１】特開２００３-５６０１８号公報（２-３頁、図１）
【発明の開示】
【発明が解決しようとする課題】
【０００３】
さて、このようなオストメイト用汚物流しユニットは、駅やデパートやテーマパーク等の公共施設の多目的トイレに設置される場合が多い。多目的トイレとは、車椅子利用者に代表される身体障害者や、高齢者、乳幼児連れの方などに対応したトイレのことであり、車椅子対応の便器やベビーチェアや介護用のベッド等が主に備え付けられる。
【０００４】
オストメイトは、外出先において、パウチに溜まった汚物の処理をする時や新しいパウチに交換する時、また下痢等の体調不良や面板等の装着不良による不本意な汚物漏れに対処する時、多目的トイレに設置されているオストメイト用汚物流しユニットを利用することになる。このような排泄処理作業においては、面板やパウチ等の装備品の交換、ストーマやストーマ廻りの身体洗浄、衣服の着替え、等、３０分程度必要とすることもあり、その間、多目的トイレを独占することになる。
【０００５】
一方、オストメイトは、一般の健常者と変わらない外見をしている為、車椅子利用者等から一般の健常者と誤解され多目的トイレの使用について不本意にも非難され、多目的トイレを使用することに抵抗を感じるほど、心理的ストレスを受けている。すなわち、オストメイトにとって排泄処理作業にかかる時間は、折角の外出の機会における貴重な時間を割かなければいけないと共に、余計な心理的ストレスも生じさせている。
【０００６】
このような観点にたつと、特許文献１に記載の従来型のオストメイト用汚物流しユニットの構造は、汚物流し部とシャワーがともに水平のテーブル上面に備わっているので、シャワーが汚物によって汚れやすく、シャワーを洗浄するという余計な動作に時間を費やしてしまう。
【０００７】
本発明の目的は、特に公共施設への設置に適した、オストメイトの排泄処理時間の短縮を実現するオストメイト用汚物流しユニットを提供することにある。
【課題を解決するための手段】
【０００８】
上述した課題を解決するために、本発明にかかるオストメイト用汚物流しユニットは、
前面に汚物流し部が備わったパネルプレートと、
前記パネルプレートの前面がほぼ鉛直方向に沿って延在するように当該パネルプレートを支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
前記装置本体内に設置された電気温水器と、
前記パネルプレート前面の汚物流し部上方であって当該パネルプレート前面よりも奥まった位置に取り付けられたパウチ洗浄用水栓と、
を備えたことを特徴としている。
このように構成されたオストメイト用汚物流しユニットにより、利用者の使いやすい高さに汚物流し部を調整することで排泄処理の作業効率を高め、温水により汚物の洗浄能力を高め、パウチ洗浄用水栓の衛生性を確保すると共に作業スペースを確保することにより作業効率を高め、排泄処理に必要な時間を短縮することが可能となる。
【０００９】
また、本発明の請求項２に記載のオストメイト用汚物流しユニットは、
前面に汚物流し部が備わったパネルプレートと、
前記パネルプレートの前面がほぼ鉛直方向に沿って延在するように当該パネルプレートを支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
前記装置本体内に設置された電気温水器と、
前記パネルプレート前面の汚物流し部上方に取り付けられたパウチ洗浄用水栓であって前記電気温水器から供給される温水と水道水とを混合する湯水混合部が前記パネルプレート背面に隠蔽されたパウチ洗浄用水栓と、
を備えたことを特徴としている。
このように構成されたオストメイト用汚物流しユニットにより、利用者の使いやすい高さに汚物流し部を調整することで排泄処理の作業効率を高め、温水により汚物の洗浄能力を高め、パウチ洗浄用水栓の衛生性を確保すると共に作業スペースを確保することにより作業効率を高め、排泄処理に必要な時間を短縮することが可能となる。
【００１０】
また、本発明の請求項３に記載のオストメイト用汚物流しユニットは、請求項２に記載のオストメイト用汚物流しユニットにおいて、
前記パウチ洗浄用水栓は、引き出し可能な吐水部と温度調整および流量調整を行う温調流調部とを有し、当該吐水部と当該温調流調部は前記汚物流し部の中央に対して左右に分割して配置されていることを特徴としている。
このように構成することにより、より作業スペースを確保でき作業効率を高めることが可能となる。
【００１１】
また、本発明の請求項４に記載のオストメイト用汚物流しユニットは、請求項１乃至請求項３の何れかに記載のオストメイト用汚物流しユニットにおいて、
昇降上限位置にある前記パネルプレートの上端部よりも前記装置本体の上面が上方に位置し、かつ所定の広さを有する荷物載置用平坦部が当該装置本体の上面に形成されていることを特徴としている。
装置本体の上面であって汚物によって汚れることのない位置に荷物を載せておくことができるので、使い勝手をより向上させ作業効率を高めることができる。
【発明の効果】
【００１２】
本発明のオストメイト用汚物流しユニットによると、利用者の使いやすい高さに汚物流し部を調整することで排泄処理の作業効率を高め、温水により汚物の洗浄能力を高め、パウチ洗浄用水栓の衛生性を確保すると共に作業スペースを確保することにより作業効率を高め、排泄処理に必要な時間を短縮することが可能となる。
【発明を実施するための最良の形態】
【００１３】
以下、本発明の第一の実施形態にかかるオストメイト用汚物流しユニットについて図面に基づいて説明する。図１は第一の実施形態にかかるオストメイト用汚物流しユニットの斜視図、図２は一部を透視図にしたパネルプレート昇降上限における正面図、図３は一部を透視図にしたパネルプレート昇降上限における側面図である。
【００１４】
本発明の第一の実施形態にかかるオストメイト用汚物流しユニット１は、図１乃至図３に示すように、前面に汚物流し部１１０の備わったパネルプレート１００と、汚物流し部１１０上方に位置するシャワー水栓（パウチ洗浄用水栓）１２０と、パネルプレート１００を昇降可能に支持する装置本体２００と、を備えている。装置本体２００内には、汚物流し部１１０の洗浄水を供給するフラッシュバルブ２５０や、シャワー水栓１２０に温水を供給する電気温水器２７０が備わっており、これらに水道水を供給する給水配管やこれらを連結する可撓性に優れたホース、また、汚物流し部１１０からの排水を外部に流す排水管２４７が適宜設けられている。
【００１５】
装置本体２００は、パネルプレート１００の前面がほぼ鉛直方向に沿って延在するように支えるとともに当該パネルプレート１００を鉛直方向に移動可能に支持するガイド支持部２４０（図２参照）を備えている。そして、ガイド支持部２４０の内部には当該ガイド支持部２４０によって支持されたパネルプレート１００を所定の昇降上限位置と昇降下限位置との間で昇降させる水圧シリンダ（昇降駆動部）２４５が内蔵されている。
【００１６】
パネルプレート１００は例えば塩ビ鋼板等でできており、一部が突出した略矩形形状を有している。パネルプレート１００の前面中央部には陶器でできた汚物流し部１１０が取り付けられている。また、汚物流し部１１０の上方であってオストメイト用汚物流しユニット１の天板２０１から所定量下方においてパウチ仮置き用平坦部１０１がパネルプレート１００と直交してパネルプレート１００の前面から奥まる方向に水平に延在している。また、汚物流し部１１０に洗浄水を流したりパウチを洗浄したりするシャワー水栓１２０がこのパウチ仮置き用平坦部１０１のパネルプレート側前方縁部近傍に備わっている。そして、このパウチ仮置き用平坦部１０１とシャワー水栓１２０がパネルプレート１００と一体に昇降するようになっている。
【００１７】
パネルプレート前面に取り付けられた汚物流し部１１０は汚物を洗浄しやすいように上面が大きく開口してリップ部１１１を形成している。リップ部１１１は、オストメイトがこのリップ部１１１にストーマより５ｃｍ程度下の腹部を押し当てて排泄処理行為を行うのに適した形状、すなわち、排泄処理中に汚物が漏出しても汚物が汚物流し部１１０に自然に入っていく形状となっている。また、汚物流し部１１０の下側内部にはここでは図示しない封水機構が備わり、異臭の発生を防止している。
【００１８】
また、フラッシュバルブ２５０を作動させることで、汚物流し用洗浄管１１２を介して汚物流し部１１０に洗浄水を供給し、汚物流し部１１０の内面上部全周に形成されたリム部の穴（図示せず）から洗浄水を流出させて汚物流し部１１０の内側面を適宜洗浄可能となっている。
【００１９】
シャワー水栓１２０は、図１に示すように、パネルプレート前面の汚物流し部１１０の上方であってこのパネルプレート前面よりも奥まった位置に取り付けられている。さらに、図４に示すように、水栓取り付け部１２１から吐水部１２５をホース１２２とともに引き出して使用することができ、洗浄水を所望の向きで流出させることを可能としている。吐水部１２５が水栓取り付け部１２１に装着されている状態では、吐水部１２５は洗浄水が汚物流し部１１０内に落下するよう若干前向きに傾斜して設置されており、オストメイトが装着していたパウチを外してパウチ内を洗浄するのに適している。また、吐水部１２５を引き出して使用する場合は、オストメイトが服を脱いでストーマやストーマ周辺を洗ったり、汚物流し部１１０内部を局所的に洗浄するのに適している。
【００２０】
そして、シャワー水栓１２０は、水道水と電気温水器２７０の湯の混合水栓となっており、温度調節と流量調節を兼ねる温調流調部である湯温流量調整ノブ１２３を有している。洗浄水の温度は、シャワー水栓１２０の湯温流量調整ノブ１２３の左右ひねり量を変えることで適時調整可能となっており、洗浄水の流量は、シャワー水栓１２０の湯温流量調整ノブ１２３の引き起こし量を変えることで適時調整可能となっている。
【００２１】
装置本体２００は、その外側部が前板及び側板に例えば木材でできた合板を用いてできているとともに、甲板と呼ばれる天板（荷物載置用平坦部）２０１にある程度強度のある
樹脂性の合板を用いてできている。
なお、天板２０１はパネルプレート１００が上限位置に達したとき、パネルプレート上端において奥まった位置に備わったシャワー水栓１２０の上部が天板２０１の下面と若干の隙間を隔ててぶつからないようになっている（図２参照）。また、パネルプレート１００の右側上部をなすフラッシュバルブ操作部側端部１０２（図１参照）はパネルプレート１００のパウチ仮置き用平坦部１０１よりも上方に突出しているが、パネルプレート上限位置においてこのフラッシュバルブ操作部側端部１０２が天板２０１の形成面よりも上方に突出せず、天板上に荷物や着替え等を載せておけるようになっている。
【００２２】
そして、装置本体２００の内部には、図２に点線で示すように、パネルプレート１００をその上限位置と下限位置との間で昇降させる水圧シリンダ２４５を内蔵したガイド支持部２４０が備わっている。この上限位置は汚物流し部１１０のリップ部１１１が図２に示す高さＨにある位置で、この下限位置は汚物流し部１１０のリップ部１１１が同図に示す高さＬにある位置である。
【００２３】
なお、水圧シリンダ２４５は本実施形態では洗浄水として使用する一次側水道水の水圧をそのまま利用して昇降駆動するようになっているが、必ずしもこれに限定されず、例えばポンプ等を介して水圧を印加するようにしても良い。また、水圧を利用することに限定されず、電動モータと減速機構の組み合わせやエアシリンダなどを用いてパネルプレート１００をガイド支持部２４０に沿って昇降させるようにしても良い。
【００２４】
また、装置本体２００の内部下方には、図２に点線で示すように、ガイド支持部２４０に挟まれた位置に汚物流し部１１０からの汚物を洗浄水とともに装置本体外部に流す排水管２４７が備わっている。排水管２４７は、一部がいわゆるテレスコープタイプの伸縮自在で水密性に優れた管構造を備え、汚物流し部１１０が上限位置と下限位置との間のいかなる位置にあっても汚物を洗浄水とともに確実に排出するようになっている。なお、排水管としては、昇降動作に追従するものであれば、蛇腹タイプのものであっても良く、また、テレスコープタイプと蛇腹タイプの複合型であっても良い。
【００２５】
また、パネルプレート１００のフラッシュバルブ操作部側端部１０２には、図１に示すように、フラッシュバルブ２５０作動用の洗浄ボタン１５１が備わり、この下方には汚物拭き取り用のトイレットペーパー１５６を保持するペーパーホルダ１５５が備わっている。なお、ペーパーホルダ１５５にトイレットペーパー１５６を常に装着することで、ストーマ周囲を拭いたり、パウチを拭いたり、身体に付着した汚れを落とすのに適宜使用できるようになっている。
【００２６】
また、装置本体２００の前面左側部２３０にはその上方にフック２３１が備わっており、帽子や衣類等を引っ掛けておけるようになっている。
また、汚れた手等を効率良く洗浄するために、パネルプレート１００やパウチ仮置き用平坦部１０１に水石鹸用タンクを備えていても良い。
【００２７】
装置本体内部の前面視右側上方にはフラッシュバルブ２５０が備わっている。フラッシュバルブ２５０は、汚物流し部１１０に付着した汚物を一次側水道水の水圧を利用して一気に洗い流すためのもので、前述した洗浄ボタン１５１を押すことで、洗浄水が汚物流し用洗浄管１１２を介して汚物流し部１１０の内面上部全周に形成されたリム部の穴（図示せず）から汚物流し部内側面全体にわたって一定時間流出するようになっている。
【００２８】
なお、フラッシュバルブ２５０には、図２に示すように、その下部にバキュームブレーカ２６０が備わっており、フラッシュバルブ２５０の左側側部は一次側水道水の配管２５２に連結されている。バキュームブレーカ２６０は、汚物流し部１１０が上限位置にあるときに汚物流し部１１０のリップ部１１１よりも上方に位置するように装置本体に取り付けられている。こうすることで、パネルプレート１００が昇降上限位置から昇降下限位置までのどの位置で停止していても、汚水がバキュームブレーカ２６０から漏れることがなく、バキュームブレーカ２６０よりも上流側が汚水によって汚されることを確実に防ぐことができる。
【００２９】
一方、電気温水器２７０は、図２に点線で示すように、装置本体内部の前面視左側中央部分に備わっており、電気温水器２７０の出湯口２７１とシャワー水栓１２０は、汚物流し部１１０の上限位置と下限位置との間で十分撓んで対応可能な可撓性を有するホース（図示せず）で連結されている。
【００３０】
このとき、電気温水器２７０の出湯口２７１は、シャワー水栓１２０の給湯接続部（図示せず）の昇降上限位置と昇降下限位置とのほぼ中間に位置する高さに配置されるのが好ましい。このようにすることで、シャワー水栓１２０がパネルプレート１００と共に上限位置と下限位置で昇降移動するにも係わらず、シャワー水栓１２０と出湯口２７１とを連結する可撓性ホースの長さを最小限にすることができ、ホースを通過するときの温水の温度低下を最小限に抑えることができるため、効率よく、又、冬場においても快適にシャワーを使用することができる。
【００３１】
続いて、このような構成を有するオストメイト用汚物流しユニット１の作用について説明する。かかるオストメイト用汚物流しユニット１は駅やデパートやテーマパーク等の公共施設の多目的トイレに設置され、不特定多数のオストメイトによって利用される。
【００３２】
このオストメイト用汚物流しユニット１をオストメイトが使用するにあたって、ジャケットなどの衣類をフック２３１に引っ掛けるとともに、荷物や着替えをユニット上面の天板２０１に載せておく。また、交換用のパウチや剥離材、タオルをパウチ仮置き用平坦部１０１に置いておき、パウチを洗浄したりストーマ廻りを洗浄したりする排泄処理動作をしている最中であっても、これらを直ぐに手で取れるようにしておく。
【００３３】
そして、水圧シリンダ２４５を駆動させて汚物流し部１１０のリップ部１１１が例えばオストメイトのストーマの５ｃｍ程度下に位置するような適切な高さまで汚物流し部１１０を昇降させる。
【００３４】
なお、汚物流し部１１０を仮に昇降上限位置まで上昇させてもパネルプレート１００のフラッシュバルブ操作部側端部１０２は天板２０１よりも上側に突出することはないので、天板２０１に乗せた荷物や着替えが誤って落ちる心配はない。
【００３５】
また、仮にこれらの荷物が不意にパネルプレート前面前方に落ちてきても、シャワー水栓１２０はパネルプレート前面よりも奥まった位置に取り付けられているので、これらの荷物がシャワー水栓１２０の湯温流量調整ノブ１２３にぶつかって急に洗浄水が出たり止まったりすることはない。
【００３６】
オストメイトは、汚物流し部１１０を最適な高さまで昇降させた後に、身体に装着していたパウチを外して、シャワー水栓１２０を用いて、パウチからの汚物の排出、パウチ内部の洗浄、ストーマ及びその周辺の洗浄といった排泄処理作業を行うが、この際、オストメイトは、ストーマの５ｃｍ程度下を汚物流し部１１０のリップ部１１１に押し付けて作業をおこなう。これは、ストーマやストーマ廻りの洗浄の際の洗浄水をできるだけ汚物流し１１０内に落とし込むためと、ストーマからの予期せぬ汚物の排出に備えているためである。また、この際、体を安定させるためおよびストーマをよく見るため、オストメイトは汚物流しに寄りかかるように前屈みになって作業をおこなう。図８は、オストメイトがストーマ廻りの洗浄動作を行っている様子を示す模式図である。すなわち、オストメイトはパウチを外している間、ストーマ下をリップ部１１１に押し付けたままの状態で作業を行っている。
【００３７】
ここで、フロアレベルからのストーマ位置は、オストメイト各個人の体格や手術部の位置によってそれぞれ異なる。本実施例では、リップ部１１１の位置が昇降することにより各個人の使いやすい高さに変えられるため、オストメイト各個人に楽な姿勢での排泄処理作業を実現し、作業効率の向上を実現できる。
【００３８】
またこのとき、従来構造のオストメイト用汚物流しユニットのように汚物流し部を備えたテーブルが水平方向に支持された状態で昇降するようになっていると、汚物がテーブル上面に付着して乾燥してしまい、特にパブリックスペースにおいて使用する頻度の高いオストメイト用汚物流しユニットとしては衛生上好ましくない。しかしながら、本実施形態のようなオストメイト用汚物流しユニット１のようにパネルプレート１００の前面がほぼ鉛直方向に沿って延在する構成にすると、パネルプレート１００に汚物が付着しにくく、衛生的でありパブリックスペースにおいて特に好適に使用できる。
【００３９】
また、ストーマからの汚物排出中においてオストメイトの体調によって例えば下痢の際など汚物がストーマから勢い良く飛び出すことがあり、洗い方によっては周囲に飛び散ることもあるが、シャワー水栓１２０は汚物流し部１１０より上方に配置されているので、このような場合であっても汚物がシャワー水栓１２０に付着することはなく、衛生性を確保できる。
【００４０】
また、ホースを引き出さない状態でのシャワー水栓１２０の吐水方向が図３に示すように汚物流し部１１０の内壁部に向かうようにシャワー水栓１２０が取り付けられているため、予期せぬ方向に洗浄水が吐水することがなく、衛生上好ましいと共に、安心した作業が確保されている。
【００４１】
また、シャワー水栓１２０が汚物流し部１１０の上方でパネルプレート前面よりも奥まった位置に取り付けられているので、図８のように排泄処理作業時に、オストメイトが汚物流し部１１０にストーマ下を押し当てて前屈みになっても、シャワー水栓１２０の吐水部がパネルプレート前面より平面視において少量しか突出しておらず、オストメイトの胸や顔にぶつかったり視線の邪魔になったりすることがなく、作業スペースを確保でき、排泄処理動作を行い易くすることができ、作業効率の向上を実現できる。
【００４２】
また、電気温水器２７０を備えており、シャワー水栓１２０には温水が供給され、オストメイトの好みに応じた湯温の洗浄水を供給できる。パウチ内やストーマ廻りを洗浄するとき、体液を含む汚物を洗い流すには温水が有効であり、汚物を洗浄する洗浄能力を向上させ、排泄処理時間の短縮を実現できる。また、冬場の使用を考慮すると、温水を利用できることは、オストメイトにとって非常に有益であることは言うまでも無い。
【００４３】
そして、シャワー水栓１２０を用いてストーマ及びその周辺を洗った後、トイレットペーパー１５６やパウチ仮置き用平坦部１０１に置いたタオルでストーマやその周辺に付いた洗浄水を拭き取り、洗浄し終えたパウチもしくは新しいパウチをストーマに取り付ける。
【００４４】
ここで、パウチ仮置き用平坦部１０１が汚物流し部１１０の上面開口部であるリップ部１１１よりも上方に設けられているので、この部分を汚物流し部１１０からの洗浄水のはね返りが無いドライエリアとすることができる。その結果、このパウチ仮置き用平坦部１０１に新しいパウチやタオルを安心して置いておくことができる。また、パウチ仮置き用平坦部１０１は昇降動作に追従し、オストメイトがストーマの洗浄中や洗浄直後に新しいパウチやタオルを容易に取ることができるので、オストメイト用汚物流しユニット１の使い勝手が良くなり、排泄処理の作業効率の向上を実現している。
【００４５】
そして、洗浄水をシャワー水栓１２０から流出させると同時又はその後に洗浄ボタン１５１を押してフラッシュバルブ２５０を作動させて汚物流し部内壁面を洗い流すとともに、配水管２４７を介して汚物をユニット外部に一気に排出する。
【００４６】
このように、本発明の第一の実施形態にかかるオストメイト用汚物流しユニット１によると、利用者の使いやすい高さに汚物流し部１１０を調整することで排泄処理の作業効率を高め、電気温水器２７０からの温水により汚物の洗浄能力を高め、シャワー水栓１２０を汚物流し部１１０の上方のパウチ仮置き用平坦部１０１に取り付け衛生性を確保すると共に作業スペースを確保することにより作業効率を高め、排泄処理に必要な時間を短縮することが可能となる。
また、荷物載置用平坦部を装置本体の所定位置に形成することで、装置本体の上面であって汚物によって汚れることのない位置に荷物や着替え等を載せておくことができ、更に作業効率を高めることができる。このとき、パネルプレートは昇降上限位置であっても装置本体から上方に突出することがないため、安心して物を載せておくことができる。
【００４７】
次に、本発明の第二の実施形態にかかるオストメイト用汚物流しユニットについて図面に基づいて説明する。図５は、第二の実施形態にかかるオストメイト用汚物流しユニットの斜視図を、図６はその正面図を、図７はその側面図を示す。尚、図５乃至図７は、昇降範囲のおよそ中間位置での図である。尚、これらの図においては、図１から図４に関して前述したものと同様の要素には同一の符号を付して詳細な説明は省略する。
【００４８】
本発明の第二の実施形態にかかるオストメイト用汚物流しユニット２も、図５乃至図７に示すように、第一の実施形態にかかるオストメイト用汚物流しユニット１と同様、リップ部１１１を有する汚物流し部１１０を前面に備わったパネルプレート１００と、汚物流し部１１０上方に位置するシャワー水栓（パウチ洗浄用水栓）１２０と、パネルプレート１００を昇降可能に支持する装置本体２００と、を備えている。尚、シャワー水栓１２０は、パネルプレート１００の前面に配設された水栓取り付け部１２１と湯温流調調整ノブ１２３（温調流調部）と吐水部１２５と、パネルプレート１００の背面に隠蔽された湯水混合部１２４と、からなる。
【００４９】
装置本体２００内には、汚物流し部１１０の洗浄水を供給するフラッシュバルブ（図示せず）や、シャワー水栓１２０に温水を供給する電気温水器２７０が備わっており、これらに水道水を供給する給水配管やこれらを連結する可撓性に優れたホース、また、汚物流し部１１０からの排水を外部に流す排水管２４７が適宜設けられている。
【００５０】
装置本体２００は、パネルプレート１００を鉛直方向に移動可能に支持するガイド支持部２４０を備え、ガイド支持部２４０内部にはパネルプレート１００を所定の昇降上限位置と昇降下限位置との間で昇降させる水圧シリンダ（昇降駆動部）２４５が内蔵されている。また、荷物搭載用平坦部である天板２０１、フック２３１を備えている。
【００５１】
パネルプレート１００の前面には、フラッシュバルブ作動用の洗浄ボタン１５１と、ペーパーホルダー１５５およびトイレットペーパー１５６、汚物流し部１１０、汚物流し部１１０に洗浄水を供給する汚物流し用洗浄管１１２、水石鹸入れ２８０、そしてシャワー水栓１２０の水栓取り付け部１２１と湯温流調調整ノブ１２３と吐水部１２５、が配設されている。
【００５２】
また、汚物流し部１１０の上方であって天板２０１から所定量下方においてパウチ仮置き用平坦部１０１がパネルプレート１００と直交してパネルプレート１００の前面から奥まる方向に水平に延在している。
【００５３】
水圧シリンダ２４５によってパネルプレート１００は昇降されるが、昇降上限位置にあっても、パネルプレート１００右上端にあるフラッシュバルブ操作部側端部が天板２０１よりも上方に突出しないように設計されており、天板２０１に乗せた荷物や着替えが誤って落ちる心配はない。
【００５４】
また、昇降上限位置にあっても、パウチ仮置き用平坦部１０１と天板２０１の間には所定量距離があるよう設計されている。これにより、パウチやタオル等が置けるスペースが確保されている。ここで、パウチ仮置き用平坦部１０１が汚物流し部１１０の上面開口部であるリップ部１１１よりも上方に設けられているので、この部分を汚物流し部１１０からの洗浄水のはね返りが無いドライエリアとすることができる。その結果、このパウチ仮置き用平坦部１０１に新しいパウチやタオルを安心して置いておくことができる。また、パウチ仮置き用平坦部１０１は昇降動作に追従し、オストメイトがストーマの洗浄中や洗浄直後に新しいパウチやタオルを容易に取ることができるので、オストメイト用汚物流しユニット１の使い勝手が良くなり、排泄処理の作業効率の向上を実現している。
【００５５】
また、昇降動作によってリップ部１１１の高さ位置は、上限位置Ｈから下限位置Ｌまで変化可能である（図６参照）。すなわち、オストメイト各個人の体格や術部位置によってそれぞれ異なるストーマ位置に対応して、リップ部１１１の高さを各個人の使いやすい高さに変えられるため、オストメイト各個人に楽な姿勢での排泄処理作業を実現し、作業効率の向上を実現できる。
【００５６】
そして、シャワー水栓１２０の水栓取り付け部１２１と湯温流調調整ノブ１２３と吐水部１２５は、汚物流し部１１０の上方でパウチ仮置き用平坦部１０１の下方に配置されている。このことにより、パウチ仮置き用平坦部１０１は、より広いドライな領域を確保できる。
【００５７】
電気温水器２７０からの温水と水道水を混合する湯水混合部１２４は、パネルプレート１００の背面に固定されており、湯温流調調整ノブ１２３の操作によって調整された洗浄水を吐水部１２５に送る。湯水混合部１２４は、温水及び水道水の配管接続部と混合部そして混合水（洗浄水）を排出する排出口を有するため比較的大きな形状を有するものであるが、このように湯水混合部１２４をパネルプレート１００の背面に隠蔽することによって、オストメイトの排泄処理における作業スペースを確保できる。すなわち、オストメイトは排泄処理時にリップ部１１１にストーマ下を押し付け前屈みになって作業を行い、オストメイトの頭部がパネルプレート１００に接近することになるが（図８参照）、シャワー水栓１２０がオストメイトの胸や顔にぶつかったり視線の邪魔になったりすることがなく、作業効率の向上を実現できる。
【００５８】
また、水栓取り付け部１２１および吐水部１２５と湯温流調調整ノブ１２３とは、汚物流し部１１０の中央に対して左右に分かれて配置している。これにより、オストメイトの頭部が最も存在し得る汚物流し部１１０の中央上方において、パネルプレート１００前面に突出する器具類が無いことになり、より作業スペースを確保し作業効率の向上を実現できる。
【００５９】
ここで、吐水部１２５は水栓取り付け部１２１から引き出し可能となっており、オストメイトが服を脱いでストーマやストーマ周辺を洗ったり、汚物流し部１１０内部を局所的に洗浄するのに適している。吐水部１２５が水栓取り付け部１２１に装着されている状態では、吐水部１２５は洗浄水が汚物流し部１１０内に落下するよう若干前向きに傾斜して設置されており、オストメイトが装着していたパウチを外してパウチ内を洗浄するのに適している。また、予期せぬ方向に洗浄水が吐水することがなく、衛生上好ましいと共に、安心した作業が確保されている。
【００６０】
また、ストーマからの汚物排出中においてオストメイトの体調によって例えば下痢の際など汚物がストーマから勢い良く飛び出すことがあり、洗い方によっては周囲に飛び散ることもあるが、シャワー水栓１２０は汚物流し部１１０より上方に配置されているので、このような場合であっても汚物がシャワー水栓１２０に付着することはなく、衛生性を確保できる。
【００６１】
またこのとき、従来構造のオストメイト用汚物流しユニットのように汚物流し部を備えたテーブルが水平方向に支持された状態で昇降するようになっていると、汚物がテーブル上面に付着して乾燥してしまい、特にパブリックスペースにおいて使用する頻度の高いオストメイト用汚物流しユニットとしては衛生上好ましくない。しかしながら、本実施形態のようなオストメイト用汚物流しユニット２のようにパネルプレート１００の前面がほぼ鉛直方向に沿って延在する構成にすると、パネルプレート１００に汚物が付着しにくく、衛生的でありパブリックスペースにおいて特に好適に使用できる。
【００６２】
また、電気温水器２７０を備えており、シャワー水栓１２０には温水が供給され、オストメイトの好みに応じた湯温の洗浄水を供給できる。パウチ内やストーマ廻りを洗浄するとき、体液を含む汚物を洗い流すには温水が有効であり、汚物を洗浄する洗浄能力を向上させ、排泄処理時間の短縮を実現できる。また、冬場の使用を考慮すると、温水を利用できることは、オストメイトにとって非常に有益であることは言うまでも無い。
【００６３】
このとき、電気温水器２７０の出湯口２７１は、温水混合部１２４の給湯接続部（図示せず）の昇降上限位置と昇降下限位置とのほぼ中間に位置する高さに配置されるのが好ましい。このようにすることで、温水混合部１２４がパネルプレート１００と共に上限位置と下限位置で昇降移動するにも係わらず、温水混合部１２４と出湯口２７１とを連結する可撓性ホースの長さを最小限にすることができ、ホースを通過するときの温水の温度低下を最小限に抑えることができるため、効率よく、又、冬場においても快適にシャワーを使用することができる。
【００６４】
このように、本発明の第二の実施形態にかかるオストメイト用汚物流しユニット２によると、利用者の使いやすい高さに汚物流し部１１０を調整することで排泄処理の作業効率を高め、電気温水器２７０からの温水により汚物の洗浄能力を高め、シャワー水栓１２０を汚物流し部１１０の上方に配置することで衛生性を確保すると共に湯水混合部１２４をパネルプレート１１０の背面に取り付けることで作業スペースを確保することにより作業効率を高め、排泄処理に必要な時間を短縮することが可能となる。
また、シャワー水栓の吐水部１２５と湯温流調調整ノブ１２３を汚物流し部１１０の中央に対して左右に分けて配置することで、より視線の確保および作業スペースの確保が図れ作業効率を高めることができる。
また、荷物載置用平坦部を装置本体の所定位置に形成することで、装置本体の上面であって汚物によって汚れることのない位置に荷物や着替え等を載せておくことができ、更に作業効率を高めることができる。このとき、パネルプレートは昇降上限位置であっても装置本体から上方に突出することがないため、安心して物を載せておくことができる。
【００６５】
以上、本発明の実施例について説明した。本発明は、これらに限定されるものではなく、オストメイト用汚物流しユニットを構成するいずれかの要素について当業者が設計変更を加えたものであっても、本発明の要旨を備えたものであれば、本発明の範囲に包含される。
例えば、本発明にかかるオストメイト用汚物流しユニットの各構成要素の材質は、上述した実施形態に記載された材質には限定されず、例えば汚物流し部の材質は陶器の代わりにプラスチック等であっても構わない。
また、パネルプレートは厳密な意味で垂直方向に昇降する必要はなく、垂直に近い斜め方向に昇降しても良い。
【図面の簡単な説明】
【００６６】
【図１】本発明の第一の実施形態にかかるオストメイト用汚物流しユニットの斜視図である。
【図２】図１に示したオストメイト用汚物流しユニットが昇降上限位置にある状態での前面パネルを一部破断して示す正面図である。
【図３】図１に示したオストメイト用汚物流しユニットが昇降上限位置にある状態での側面パネルを一部破断して示す側面図である。
【図４】図１に示したオストメイト用汚物流しユニットのシャワー水栓のホースを引き出して洗浄水を流した状態を示す斜視図である。
【図５】本発明の第二の実施形態にかかるオストメイト用汚物流しユニットの斜視図である。
【図６】図５に示したオストメイト用汚物流しユニットの正面図である。
【図７】図５に示したオストメイト用汚物流しユニットの側面図である。
【図８】オストメイトがストーマ廻りの洗浄動作を行っている状態を示す模式図である。
【符号の説明】
【００６７】
１ オストメイト用汚物流しユニット
２ オストメイト用汚物流しユニット
１００ パネルプレート
１０１ パウチ仮置き用平坦部
１０２ フラッシュバルブ操作部側端部
１１０ 汚物流し部
１１１ リップ部
１１２ 汚物流し用洗浄管
１２０ シャワー水栓
１２１ 水栓取り付け部
１２２ ホース
１２３ 湯温流量調整ノブ
１２４ 湯水混合部
１２５ 吐水部
１５１ 洗浄ボタン
１５５ ペーパーホルダ
１５６ トイレットペーパー
２００ 装置本体
２０１ 天板
２３０ 前面左側部
２３１ フック
２４０ ガイド支持部
２４５ 水圧シリンダ
２４７ 排水管
２５０ フラッシュバルブ
２５２ 配管
２６０ バキュームブレーカ
２７０ 電気温水器
２７１ 出湯口
２８０ 水石鹸入れ
【図１】
2007111521.tif 000003
【図２】
2007111521.tif 000004
【図３】
2007111521.tif 000005
【図４】
2007111521.tif 000006
【図５】
2007111521.tif 000007
【図６】
2007111521.tif 000008
【図７】
2007111521.tif 000009
【図８】
2007111521.tif 000010